【手続補正書】
【提出日】平成23年11月8日(2011.11.8)
【手続補正１】
【補正対象書類名】特許請求の範囲
【補正対象項目名】全文
【補正方法】変更
【補正の内容】
【特許請求の範囲】
【請求項１】
記録媒体に画像を記録する記録部と、
前記記録部で記録された前記記録媒体を排出する排出口と、
前記排出口から排出された前記記録媒体を案内する案内面を有する案内部材と、
前記案内面で案内される前記記録媒体の一端部の位置を規制する第1のガイド部材と、
前記記録媒体の一端部に対して第1の方向の他端部の位置を規制する第2のガイド部材と、
前記第1のガイド部材を支持する第1のスライド部材、及び前記第2のガイド部材を支持する第2のスライド部材を有し、前記第1のガイド部材及び前記第2のガイド部材を前記第1の方向に移動させる支持機構と、
前記第1のスライド部材と前記第2のスライド部材とが重なり合う位置で前記第1のスライド部材及び前記第2のスライド部材を押圧して固定する押圧部材と、
前記押圧部材を変位させて前記第1のスライド部材及び前記第2のスライド部材の固定を解除する操作部と、
を備えることを特徴とする記録装置。
【請求項２】
前記第1のスライド部材は、前記第1の方向に延びる第1の板状部を有し、
前記第2のスライド部材は、前記第1の方向に延びる第2の板状部を有し、
前記第1の板状部と前記第2の板状部とは、前記記録媒体の排出方向に並んで重なっており、
前記第1の板状部は前記第2の板状部に面して接触する突出部を有する請求項１に記載の記録装置。
【請求項３】
前記押圧部材は、板ばねであり、
前記板ばねの弾性により、前記第1の板状部と前記第2の板状部とを押圧して密着させる請求項２記載の記録装置。
【請求項４】
前記第1のスライド部材と前記第2のスライド部材は、前記案内面の中央に対して対称にスライドする請求項１から３のいずれか１項に記載の記録装置。
【請求項５】
前記記録媒体を収容する記録媒体収容部と、
前記収容部に収容された前記記録媒体を前記排出口へ搬送させる搬送路と、
前記搬送路に配設されて前記記録媒体の一端部の位置を規制する第3のガイド部材と、
前記搬送路に配設されて前記記録媒体の他端部の位置を規制する第4のガイド部材と、
を備え、
前記第3のガイド部材と前記第4のガイド部材は、前記記録媒体が前記搬送路の第1の方向の中央に位置するように規制する請求項４に記載の記録装置。
【請求項６】
排出口から排出された記録媒体を案内する案内部材の案内面に配設されて前記記録媒体の一端部の位置を規制する第１のガイド部材を支持する第1のスライド部材と、
前記記録媒体の一端部に対して第1の方向の他端部の位置を規制する前記第2のガイド部材を支持する第2のスライド部材と、
前記第1のガイド部材及び前記第2のガイド部材を前記第1の方向に移動させる動作部と、
前記第1のスライド部材と前記第2のスライド部材とが重なり合う位置で前記第1のスライド部材及び前記第2のスライド部材を押圧して固定する押圧部材と、
前記押圧部材を変位させて前記第1のスライド部材及び前記第2のスライド部材の固定を解除する操作部と、
を備えることを特徴とするガイド部材の支持機構。
【手続補正２】
【補正対象書類名】明細書
【補正対象項目名】０００４
【補正方法】変更
【補正の内容】
【０００４】
上記課題を解決するため、本発明は、記録媒体に画像を記録する記録部と、前記記録部で記録された前記記録媒体を排出する排出口と、前記排出口から排出された前記記録媒体を案内する案内面を有する案内部材と、前記案内面で案内される前記記録媒体の一端部の位置を規制する第1のガイド部材と、前記記録媒体の一端部に対して第1の方向の他端部の位置を規制する第2のガイド部材と、前記第1のガイド部材を支持する第1のスライド部材、及び前記第2のガイド部材を支持する第2のスライド部材を有し、前記第1のガイド部材及び前記第2のガイド部材を前記第1の方向に移動させる支持機構と、前記第1のスライド部材と前記第2のスライド部材とが重なり合う位置で前記第1のスライド部材及び前記第2のスライド部材を押圧して固定する押圧部材と、前記押圧部材を変位させて前記第1のスライド部材及び前記第2のスライド部材の固定を解除する操作部と、を備えることを特徴とする記録装置を提供する。
この構成によれば、排出口から排出される記録媒体を案内するガイドを、案内面において移動可能に支持するとともに、これらガイド部材を所定位置で固定し、さらに、案内面の切欠部から露出する押圧部材を操作することによってガイド部材の固定を解除できる。このため、記録媒体の幅方向の位置を規制する一対のガイド部材の位置を、簡単な操作で固定し、また、固定を解除して移動させることができるので、使用する記録媒体の幅に合わせてガイド部材を容易に調整できる。さらに、重なり合うスライド部材を押圧してスライドできないように固定するので、ガタつきを生じることなく高精度で確実にガイド部材を固定できる。
【手続補正３】
【補正対象書類名】明細書
【補正対象項目名】０００５
【補正方法】変更
【補正の内容】
【０００５】
上記構成において、  前記第1のスライド部材は、前記第1の方向に延びる第1の板状部を有し、前記第2のスライド部材は、前記第1の方向に延びる第2の板状部を有し、前記第1の板状部と前記第2の板状部とは、前記記録媒体の排出方向に並んで重なっており、前記第1の板状部は前記第2の板状部に面して接触する突出部を設ける構成としてもよい。
この場合、一対のスライド部材が重なる位置でスライド部材を押圧した場合に、突起を介して伝わる押圧力によりスライド部材が強く保持される。これにより、押圧部材を動かす簡単な操作により、ガイド部材を確実に固定できる。
【手続補正４】
【補正対象書類名】明細書
【補正対象項目名】０００６
【補正方法】変更
【補正の内容】
【０００６】
また、上記構成において、前記押圧部材は、板ばねであり、前記板ばねの弾性により、前記第1の板状部と前記第2の板状部と押圧して密着させるものとしてもよい。
この場合、板ばねの弾性を利用してスライド部材を押圧するので、ガイド部材を確実に固定できるとともに、スライド部材に加わる押圧力を適切な強さに抑えることができ、スライド部材への負荷を軽減できる。これにより、スライド部材の長寿命化を図ることができ、さらに、スライド部材に要求される強度基準が緩和されることに伴い、小型化、低コスト化を図ることができる。
【手続補正５】
【補正対象書類名】明細書
【補正対象項目名】０００７
【補正方法】変更
【補正の内容】
【０００７】
さらに、上記構成において、前記第1のスライド部材と前記第2のスライド部材は、前記案内面の中央に対して対称にスライドするものとしてもよい。
この場合、案内面において対称に移動し、記録媒体の幅方向の位置を規制するガイド部材を、簡単な操作により固定し、さらに固定を解除できる。
さらにまた、上記構成において、前記記録媒体を収容する記録媒体収容部と、前記収容部に収容された前記記録媒体を前記排出口へ搬送させる搬送路と、前記搬送路に配設されて前記記録媒体の一端部の位置を規制する第3のガイド部材と、前記搬送路に配設されて前記記録媒体の他端部の位置を規制する第4のガイド部材と、を備え、前記第3のガイド部材と前記第4のガイド部材は、前記記録媒体が前記搬送路の第1の方向の中央に位置するように規制するものであってもよい。
この場合、本体内部と排出口の案内面とにおいて、記録媒体の幅方向の位置を搬送路の中央に合わせるよう規制するので、記録媒体のスムーズな搬送を実現できる。
【手続補正６】
【補正対象書類名】明細書
【補正対象項目名】０００８
【補正方法】変更
【補正の内容】
【０００８】
また、本発明は、排出口から排出された記録媒体を案内する案内部材の案内面に配設されて前記記録媒体の一端部の位置を規制する第１のガイド部材を支持する第1のスライド部材と、前記記録媒体の一端部に対して第1の方向の他端部の位置を規制する前記第2のガイド部材を支持する第2のスライド部材と、前記第1のガイド部材及び前記第2のガイド部材を前記第1の方向に移動させる動作部と、前記第1のスライド部材と前記第2のスライド部材とが重なり合う位置で前記第1のスライド部材及び前記第2のスライド部材を押圧して固定する押圧部材と、前記押圧部材を変位させて前記第1のスライド部材及び前記第2のスライド部材の固定を解除する操作部と、を備えることを特徴とする記録装置のガイド部材の支持機構を提供する。
この構成によれば、記録装置の排出口から排出される記録媒体を案内するガイドを、案内面において移動可能に支持するとともに、これらガイド部材を所定位置で固定し、さらに、案内面の切欠部から露出する押圧部材を操作することによってガイド部材の固定を解除できる。このため、記録媒体の幅方向の位置を規制する一対のガイド部材の位置を、簡単な操作で固定し、また、固定を解除して移動させることができるので、使用する記録媒体の幅に合わせてガイド部材を容易に調整できる。さらに、重なり合うスライド部材を押圧してスライドできないように固定するので、ガタつきを生じることなく高精度で確実にガイド部材を固定できる。